(57)【要約】      （修正有）【課題】何度も思い出をよみがえさせることができるポップアップ式グリーティングカードを提供する。【解決手段】ポップアップ式グリーティングカードの立体的構造物に着脱可能な植物の種付きパーツ５を備える。種付きパーツは、立体的構造物に設けられた差し込み部に差し込まれ、種付きパーツの種は、ポップアップ式グリーティングカードに印刷された植物と同一または関連性のある種であることが好ましい。種付きパーツを外して、プランターに差し込むことで、種が発芽し、植物を育てながら何度も当時を思い出せると共に、新たな思い出を加えることができる。【選択図】図１
0003199001.tif 000002
【実用新案登録請求の範囲】
【請求項１】
折り畳んだカードを開くとカード内側に任意の立体的構造物が表現されるポップアップ式グリーティングカードであって、立体的構造物に着脱可能な植物の種付きパーツを備えていることを特徴とするポップアップ式グリーティングカード。
【請求項２】
前記植物の種付きパーツは、前記立体的構造物に設けられた差し込み部に差し込まれていることを特徴とする請求項１に記載のポップアップ式グリーティングカード。
【請求項３】
前記植物の種付きパーツの種は、前記ポップアップ式グリーティングカードに印刷された植物と同一または関連性のある種であることを特徴とする請求項１乃至請求項２に記載のポップアップ式グリーティングカード。
【考案の詳細な説明】
【技術分野】
【０００１】
本考案は、植物の種が付いたポップアップ式グリーティングカードに関するものである。
【背景技術】
【０００２】
従来、ポップアップ式グリーティングカードは、メッセージが書き込めるカードであって、２つ折りの見開き部分を９０度あるいは１８０度開くと立体的構造物が出現するものが知られている。
【０００３】
この立体的構造物は、木や人物、建物等を模ったものや、表面に様々な図形や模様が施されているため、メッセージの内容以外にもそのポップアップされた立体的構造物を見て楽しむことができる。
【特許文献１】特開２０１２−１３６００７
【特許文献２】特開２００５−２８８９２６
【考案の概要】
【考案が解決しようとする課題】
【０００４】
しかしながら、メッセージを一読し、ポップアップされた立体的構造物を見て楽しんだ後は、あまり思い出されるものではなく、捨てずに取っておけば、数年後に何かの拍子に偶然グリーティングカードを発見したときに当時を懐かしむ程度であった。
【０００５】
そこで、別途新たな楽しみとして、ポップアップされた立体的構造物に取り付けた植物の種を自分で植えて育てながら、確実に、短期間で何度も当時を思い出せると共に、新たな思い出を加えることのできるポップアップ式グリーティングカードを提供する。
【課題を解決するための手段】
【０００６】
ポップアップ式グリーティングカードの立体的構造物に着脱可能なパーツを備え、当該パーツに植物の種を付ける。
【０００７】
また、植物の種は、グリーティングカードに印刷された植物と同一または関連性のある種とする。
【考案の効果】
【０００８】
本考案によれば、立体的構造物に備える着脱可能な種付きパーツを外して、プランターに差し込むことで、種が発芽し、成長することで植物を育てながら何度も当時を思い出せると共に、新たな思い出を加えることができる。
【０００９】
そして、育てた植物が、食せるものであれば、食材として料理をし、食事をするときにも思い出がよみがえり、多年草であれば、水やりや観賞の際に思い出がよみがえり、枯れてしまえば、処分する際にもう一度思い出をよみがえさせることができる。
【００１０】
また、植物の種をポップアップ式グリーティングカードに印刷された植物と同一または関連性のある種とすれば、関連性が強くなり、ポップアップ式グリーティングカードの内容の記憶を定着させることができる。
【考案を実施するための最良の形態】
【００１１】
以下、図１乃至図８を参照して本考案に係るポップアップ式グリーティングカード１を説明する。
図１乃至図４においては、カードを９０度展開することでポップアップする立体的構造物２を形成し、植物の種付きパーツ５をこの立体的構造物に設けた開口部６に取付ける。
また、立体的構造物２の表面に平面からなる装飾パーツ７を取付ける。
図５乃至図８においては、カードを１８０度展開することでポップアップする立体的構造物２を形成し、カード内面に取付ける。
【実施例１】
【００１２】
まず、図１のようなポップアップ式グリーティングカード１を構成する内シート３の一部が立体的構造物２となるように、図２のような展開図に切れ込み線８を設け、図３のようにこの内シート３を外シート４と張り合せる。
【００１３】
このとき、内シート３に構成した展開図において、谷折り線９に対して上下垂直方向に同じ寸法の切れ込み線８を２本設け、谷折り線９から下方向に向かう２本の切れ込み線８の寸法を同寸法にする。
【００１４】
すると、ポップアップ式グリーティングカード１を折り畳むにつれ、２本の切れ込み線８に挟まれた面が山折り線１０を境に２つの面が形成されながら起き上がり、同時に谷折り線９が２本形成され、９０度展開の時点で立体的構造物２が完成する。
【００１５】
そして、そのまま折り畳むことで、当該立体的構造物２は、ポップアップ式グリーティングカード１の内側に折り畳まれて存在し、ポップアップ式グリーティングカード１を開くことで、立体的構造物２が再現される。
【００１６】
次に、展開図には、予め植物の種付きパーツ５を差し込む為の開口部６を設けておき、例えば、図３のように山折り線１０と谷折り線９に挟まれた何れかの面に開口部６を設け、植物の種付きパーツ５を差し込んで取付ける。
【００１７】
このとき、挿しこんだ植物の種付きパーツ５の先が固定され安定するように、図３のような補強部１１を立体的構造物２内に収納し、補強部１１に備わる切れ目１２に植物の種付きパーツ５の先を差し込んで固定する手段を用いても良い。
【００１８】
この植物の種付きパーツ５の種１３は、本パーツの表面に付着させておき、立体的構造物２と一体とすることで、ポップアップ式グリーティングカード１を展開しても一見どこに種があるのか分からないように構成することが望ましい。
【００１９】
また、種１３の種類は、果物、野菜、多年草等を適宜選択し、ポップアップ式グリーティングカード１の表面に印刷された植物と同一又は関連したものであることが望ましい。
【００２０】
そして、メッセージを読み終わった後、植物の種付きパーツ５を抜いて、図４のようにプランター１４に差し込むことで種１３が発芽し、成長することで植物を育てながら何度も当時を思い出せると共に、新たな思い出を加えることができる。
【００２１】
また、立体的構造物２の表面には、更に平面からなる装飾パーツ７を張り付けることで、立体的効果や装飾的効果を上げることができる。
【００２２】
この装飾パーツ７は、取り外せば、植物の種付きパーツ５と共にプランター１４内に載置して使用することもできる。
【００２３】
さらに、立体的構造物２を複数増やすことで、複雑な立体的構造物２を有するポップアップ式グリーティングカード１を作成することができる。
【００２４】
なお、本実施例では、内シート３を別途外シート４と張り合せているが、内シート３を延長して、その一部を折り返して外シート４とする構成でも構わない。
【実施例２】
【００２５】
次に、図５のような１８０度展開することでポップアップさせる立体的構造物を形成する。
【００２６】
この立体的構造物は、立体的構造物パーツ１５をポップアップ式グリーティングカード１の内面に貼りつけて完成させる。
【００２７】
そのため、立体的構造物パーツ１５には、ポップアップ式グリーティングカード１の内面に貼りつけるための糊しろ部分１６を備えておく。
【００２８】
貼り付けの際は、図６及び図７のように折り畳んだ時にポップアップ式グリーティングカード１からはみ出さないように、谷折り線９を挟んで内面に貼りつけていく。
【００２９】
このとき、立体的構造物パーツ１５は、複数有しても構わないため、その場合、他の立体的構造物パーツ１５とぶつかり合わないように配置する。
【００３０】
なお、本実施例のポップアップ式グリーティングカード１は、立体的構造物パーツ１５を貼りつけた面を内シートとして別途外シートと重ねても良いし、内シートを延長して、その一部を折り返して外シートとする構成でも構わない。
【００３１】
また、糊しろ部分１６を貼りつける代わりに、シート上に設けた切れ目に糊しろ部分１６を挿しこんで取付けることもできる。
【００３２】
最後に、この立体的構造物パーツ１５に植物の種付きパーツ５を差し込む為の切れ目１２を設け、植物の種付きパーツ５を差し込んで取付けてポップアップ式グリーティングカード１を作成することができる。
【００３３】
このように、好ましい実施例を挙げて本考案を説明したが、本考案はその実施例に限定されるものではなく、本考案の要旨の範囲内で種々に組み合わせや改変できる。
【図面の簡単な説明】
【００３４】
【図１】本考案に係るポップアップ式グリーティングカードを９０度展開した斜視図である。
【図２】本考案に係るポップアップ式グリーティングカードの内シートの展開図である。
【図３】本考案に係るポップアップ式グリーティングカードの構成パーツを示す図である。
【図４】本考案に係るポップアップ式グリーティングカードの植物の種付きパーツをプランターに差し込む図である。
【図５】本考案に係るポップアップ式グリーティングカードを１８０度展開した斜視図である。
【図６】本考案に係るポップアップ式グリーティングカードの展開する状態を示す図である。
【図７】本考案に係るポップアップ式グリーティングカードの折り畳んだ状態を示す図である。
【図８】本考案に係るポップアップ式グリーティングカードの構成パーツを示す図である。
【符号の説明】
【００３５】
１  ポップアップ式グリーティングカード
２  立体的構造物
３  内シート
４  外シート
５  植物の種付きパーツ
６  開口部
７  装飾パーツ
８  切れ込み線
９  谷折り線
１０  山折り線
１１  補強部
１２  切れ目
１３  種
１４  プランター
１５  立体的構造物パーツ
１６  糊しろ部分
【図１】
0003199001.tif 000003
【図２】
0003199001.tif 000004
【図３】
0003199001.tif 000005
【図４】
0003199001.tif 000006
【図５】
0003199001.tif 000007
【図６】
0003199001.tif 000008
【図７】
0003199001.tif 000009
【図８】
0003199001.tif 000010